(57)【要約】    【課題】  本発明は、単一のフレームメモリで解像度の異なる複数の表示器へ同時に表示を行うことが可能になり、装置の小型化、低コスト化に効果がある表示制御装置を提供する。    【解決手段】  本表示制御装置は、内部表示器１０９及び外部表示器１１０が共有する単一のフレームバッファ１０３から表示データを読み出して解像度の高い外部表示器１１０に出力する一方、当該読み出された表示データに対して解像度変換処理を行って解像度の低い内部表示器１０９に出力し、内部表示器１０９及び外部表示器１１０に出力される各表示データをタイミング制御部１０４から送信するタイミング信号（クロック信号、水平及び垂直同期信号）により制御する。【選択図】      図１
2006337859.tif 000002
【特許請求の範囲】
【請求項１】
解像度が異なる複数の表示器に接続された表示制御装置において、
少なくとも１つの表示データを格納し、前記複数の表示器により共有される単一のフレームメモリと、
前記フレームメモリから読み出された表示データを解像度の高い第１の表示器に出力する第１の出力手段と、
前記読み出された表示データに対して所定の変換処理を行う表示データ変換手段と、
前記表示データ変換手段により変換処理された表示データを解像度の低い第２の表示器に出力する第２の出力手段と、
前記第１及び前記第２の表示器に出力される表示データを当該表示器に対して送信するタイミング信号により制御する制御手段とを備えることを特徴とする表示制御装置。
【請求項２】
前記表示データ変換手段は、解像度変換を行うことを特徴とする請求項１記載の表示制御装置。
【請求項３】
前記表示データ変換手段は、切り出し処理を行うことを特徴とする請求項１記載の表示制御装置。
【請求項４】
前記第２の表示器に対して表示領域が変更されたときは、当該第２の表示器に出力する水平及び垂直同期信号の周期の変化分を予め決められた範囲内に収める同期信号制御手段を更に備えることを特徴とする請求項１乃至３のいずれか１項に記載の表示制御装置。
【請求項５】
前記表示データ変換手段は、アスペクト比変換処理を行うことを特徴とする請求項１記載の表示制御装置。
【請求項６】
前記制御手段は、前記タイミング信号としてクロック信号、水平同期信号、及び垂直同期信号を同時に送信することを特徴とする請求項１乃至５のいずれか１項に記載の表示制御装置。
【請求項７】
解像度が異なる複数の表示器に接続された表示制御装置の表示制御方法において、
前記複数の表示器により共有される単一のフレームメモリから表示データを読み出して解像度の高い第１の表示器に出力する第１の出力工程と、
前記読み出された表示データに対して所定の変換処理を行う表示データ変換工程と、
前記表示データ変換工程にて変換処理された表示データを解像度の低い第２の表示器に出力する第２の出力工程と、
前記第１及び前記第２の表示器に出力される表示データを当該表示器に対して送信するタイミング信号により制御する制御工程とを備えることを特徴とする表示制御方法。
【請求項８】
前記表示データ変換工程は、解像度変換を行うことを特徴とする請求項７記載の表示制御方法。
【請求項９】
前記表示データ変換工程は、切り出し処理を行うことを特徴とする請求項７記載の表示制御方法。
【請求項１０】
前記第２の表示器に対して表示領域が変更されたときは、当該第２の表示器に出力する水平及び垂直同期信号の周期の変化分を予め決められた範囲内に収める同期信号制御工程を更に備えることを特徴とする請求項７乃至９のいずれか１項に記載の表示制御方法。
【請求項１１】
前記表示データ変換工程は、アスペクト比変換処理を行うことを特徴とする請求項７記載の表示制御方法。
【請求項１２】
前記タイミング信号は、同時に送信されるクロック信号、水平同期信号、及び垂直同期信号であることを特徴とする請求項７乃至１１のいずれか１項に記載の表示制御方法。
【請求項１３】
請求項７乃至１２のいずれか１項に記載の表示制御方法をコンピュータに実行させるためのコンピュータに読み取り可能なプログラム。
【発明の詳細な説明】
【技術分野】
【０００１】
本発明は、表示制御装置及び方法、並びにプログラムに関し、特に、解像度が異なる複数の表示器に同時に異なる表示を行うことが可能な表示制御装置及び方法、並びにプログラムに関するものである。
【背景技術】
【０００２】
複数の表示器へ同時に出力を行う表示制御技術としては、各表示器に対応するフレームメモリと表示制御部をそれぞれ備え、個々の表示器毎に所望のフレームメモリ及び表示制御部を選択して出力するものがある（例えば、特許文献１，２参照）。
【０００３】
また、上記技術に対してフレームメモリ容量の節減を目的として、表示用メモリを内蔵する表示器において、一つのフレームメモリを複数の表示器で共用し、該フレームメモリに対して書き込みアクセスがあった場合、対応する表示器の表示用メモリに対してのみ表示データの伝送を行う技術が提案されている（例えば、特許文献３参照）。
【特許文献１】特開平４−９０５９１号公報
【特許文献２】特開平９−１４６４９７号公報
【特許文献３】特開平６−２９５１６７号公報
【発明の開示】
【発明が解決しようとする課題】
【０００４】
しかしながら、上記特許文献１，２に係る従来技術では、個々の表示器の解像度が高まっている現在では装置の大規模化、高コスト化を招いてしまうという課題がある。
【０００５】
また、上記特許文献３に係る従来技術では、各々の表示器に表示用メモリを内蔵し、フレームメモリから該表示用メモリへ表示データを転送する構成であることから、表示用メモリを内蔵していない通常の表示器に対してそのまま適用することはできず、適用するには個々の表示器からフレームメモリに対して表示データの読出しアクセスが頻繁に起こり、バス帯域の圧迫、消費電力の増大を招いてしまうという課題がある。
【０００６】
本発明は、上記課題に鑑みて成されたものであり、単一のフレームメモリで解像度の異なる複数の表示器へ同時に表示を行うことが可能になり、装置の小型化、低コスト化に効果がある表示制御装置及び方法、並びにプログラムを提供することを目的とする。
【課題を解決するための手段】
【０００７】
上記目的を達成するために、請求項１記載の表示制御装置は、解像度が異なる複数の表示器に接続された表示制御装置において、少なくとも１つの表示データを格納し、前記複数の表示器により共有される単一のフレームメモリと、前記フレームメモリから読み出された表示データを解像度の高い第１の表示器に出力する第１の出力手段と、前記読み出された表示データに対して所定の変換処理を行う表示データ変換手段と、前記表示データ変換手段により変換処理された表示データを解像度の低い第２の表示器に出力する第２の出力手段と、前記第１及び前記第２の表示器に出力される表示データを当該表示器に対して送信するタイミング信号により制御する制御手段とを備える。
【０００８】
上記目的を達成するために、請求項７記載の表示制御方法は、解像度が異なる複数の表示器に接続された表示制御装置の表示制御方法において、前記複数の表示器により共有される単一のフレームメモリから表示データを読み出して解像度の高い第１の表示器に出力する第１の出力工程と、前記読み出された表示データに対して所定の変換処理を行う表示データ変換工程と、前記表示データ変換工程にて変換処理された表示データを解像度の低い第２の表示器に出力する第２の出力工程と、前記第１及び前記第２の表示器に出力される表示データを当該表示器に対して送信するタイミング信号により制御する制御工程とを備える。
【発明の効果】
【０００９】
本発明によれば、複数の表示器が共有する単一のフレームメモリから表示データを読み出して解像度の高い第１の表示器に出力する一方、当該読み出された表示データに対して所定の変換処理を行って解像度の低い第２の表示器に出力し、第１及び第２の表示器に出力される表示データを当該表示器に対して送信するタイミング信号により制御するので、単一のフレームメモリで解像度が異なる複数の表示器へ同時に表示を行うことが可能になり、装置の小型化、低コスト化に効果がある。
【発明を実施するための最良の形態】
【００１０】
以下、本発明の実施の形態を図面を参照して詳細に説明する。
【００１１】
［第１の実施の形態］
図１は、本発明の第１の実施の形態に係る表示制御装置のハードウェア構成を示すブロック図である。
【００１２】
図１において、表示制御装置１００は、レジスタ設定部１０１と、メモリ制御部１０２と、フレームバッファ１０３（フレームメモリ）と、タイミング制御部１０４と、解像度変換部１０５と、フォーマット変換／タイミング調整部１０６，１０７と、外部出力端子１０８と、内部表示器１０９とを備える。表示制御装置１００は、外部表示器１１０に接続される。
【００１３】
レジスタ設定部１０１は、外部からの設定操作を受け付けて表示制御装置１００の動作を決定する。メモリ制御部１０２は、外部から受信した表示データをフレームバッファ１０３に書き込むと共に、タイミング制御部１０４からの制御信号（タイミング信号）に従って表示データを読み出す。フレームバッファ１０３は、表示すべき表示データを記憶する。
【００１４】
タイミング制御部１０４は、レジスタ設定部１０１が受け付けた設定に従って、装置全体のタイミングを制御する。解像度変換部１０５は、フレームバッファ１０４から読み出された表示データに対して解像度変換処理を行う。フォーマット変換／タイミング調整部１０６，１０７は、表示データを内部表示器１０９及び外部表示器１１０の各表示器の仕様に従って、必要に応じてフォーマット変更又はタイミング調整を行い、当該変更又は調整された表示データを順次出力する。
【００１５】
外部出力端子１０８は、外部表示器１１０に表示させるデータを出力する。内部表示器１０９は、フォーマット変換／タイミング調整部１０７から送られる表示データに基づいて表示を行う。これら表示器１０９，１１０は、ＬＣＤ（Liquid Crystal Display）から成る。このような表示器が適用される機器の例として、いわゆるＰＤＡ（Personal Digital Assistant）が挙げられる。
【００１６】
次に、外部表示器１１０に対してＸＧＡサイズ（１０２４×７６８）の画像表示、内部表示器１０９に対してＶＧＡサイズ（６４０×４８０）の画像表示を行う場合について図２及び図３を参照して説明する。
【００１７】
図２は、内部表示器１０９及び外部表示器１１０に画像表示する際のタイミングチャートを示す。図３は、画像表示処理を示すフローチャートである。
【００１８】
本処理の前提として、外部からＸＧＡサイズの表示データが送られてきてフレームバッファ１０３に記憶されているものとする。表示データのフレームバッファ１０３内の記憶位置についてはレジスタ設定部１０１への設定により決定される。
【００１９】
メモリ制御部１０２は、タイミング制御部１０４からの制御信号を受けてフレームバッファ１０３に対して制御信号を出力し、ＸＧＡサイズの表示データを順次読み出す（ステップＳ３０１）。読み出された表示データは、フォーマット変換／タイミング調整部１０６及び解像度変換部１０５へ送られる。
【００２０】
フォーマット変換／タイミング調整部１０６へ送られた表示データは、タイミング制御部１０４からの制御信号に従い、外部表示器１１０が求めるフォーマット及びタイミングに変換され、外部出力端子１０８を介して外部表示器１１０へ出力される（ステップＳ３０２）。これと同時に、ドットクロック信号ＣＬＫ１、水平同期信号ＨＳＹＮＣ１、及び垂直同期信号ＶＳＹＮＣ１がタイミング制御部１０４から外部出力端子１０８へ出力される。これにより、外部表示器１１０へＸＧＡサイズの画像表示が行われる（ステップＳ３０３)。
【００２１】
一方、解像度変換部１０５では、ＸＧＡサイズの表示データに対して解像度変換処理を行い、ＶＧＡサイズに変換する（ステップＳ３０４）。解像度変換処理については既知の技術なのでその説明を省略する。変換した表示データはフォーマット変換／タイミング調整部１０７へ送られる。
【００２２】
フォーマット変換／タイミング調整部１０７へ送られた表示データは、タイミング制御部１０４からの制御信号により内部表示器１０９が求めるフォーマット及びタイミングに変換され、内部表示器１０９へ送られる（ステップＳ３０５）。これと同時に、ドットクロック信号ＣＬＫ２、水平同期信号ＨＳＹＮＣ２、及び垂直同期信号ＶＳＹＮＣ２がタイミング制御部１０４から内部表示器１０９に送られ、当該内部表示器１０９へＶＧＡサイズの画像表示が行われる（ステップＳ３０６）。
【００２３】
以上の構成において、フレームバッファ１０３内にＸＧＡサイズの表示データを記憶しておくことで、該ＸＧＡサイズの１回の読出しで、ＸＧＡサイズの外部表示器１１０及びＶＧＡサイズの内部表示器１０９に対して同時に異なった表示をすることが可能となる。その結果、メモリアクセス回数の低減が可能であり、特に表示器の解像度が高い場合においてバス帯域幅の低減、及び低消費電力化に効果がある。
【００２４】
上記第１の実施の形態によれば、内部表示器１０９及び外部表示器１１０が共有する単一のフレームバッファ１０３から表示データを読み出して解像度の高い外部表示器１１０に出力する一方、当該読み出された表示データに対して解像度変換処理を行って解像度の低い内部表示器１０９に出力し、内部表示器１０９及び外部表示器１１０に出力される各表示データをタイミング制御部１０４から送信するタイミング信号（クロック信号、水平及び垂直同期信号）により制御するので、単一のフレームメモリで解像度が異なる複数の表示器へ同時に表示を行うことが可能になり、装置の小型化、低コスト化に効果がある。
【００２５】
［第２の実施の形態］
次に、本発明の第２の実施の形態について説明する。
【００２６】
上記第１の実施の形態では、フレームバッファ１０３から読み出した表示データに対して解像度変換部１０５において解像度変換処理を行い、内部表示器１０９に対して外部表示器１１０と同じ領域の表示（但し解像度が異なる）を行ったが、これを他の処理としてもよい。
【００２７】
本第２の実施の形態では、表示データの一部を切り出す処理を行う例について説明する。さらに、切り出した領域を表示する場合は、設定された切り出し領域が変更されたときに水平同期信号及び垂直同期信号の周期が変化してしまい、表示がうまく行えない場合が考えられるため、このような場合に対処する必要がある。なお、本第２の実施の形態では上記第１の実施の形態と異なる点のみについて記述する。
【００２８】
図４は、本発明の第２の実施の形態に係る表示制御装置のハード構成を示すブロック図である。
【００２９】
図４において、表示制御装置２００は、レジスタ設定部１０１と、メモリ制御部１０２と、フレームバッファ１０３と、タイミング制御部１０４と、切り出し領域変更部３０１と、切り出し処理部３０２と、フォーマット変換／タイミング調整部１０６，１０７と、外部出力端子１０８と、内部表示器１０９とを備える。表示制御装置２００は、外部出力端子１０８を介して外部表示器１１０に接続される。
【００３０】
切り出し領域変更部３０１は、現在の切り出し領域設定値を記憶しておくと共に、該設定が変更された場合の動作を決定する。
【００３１】
図５は、切り出し領域が変化しない場合のタイミングチャートを示し、図６は、変化した場合のタイミングチャートを示す。図７は、画像表示処理を示すフローチャートである。
【００３２】
本処理の前提として、外部からＸＧＡサイズの表示データが送られてきてフレームバッファ１０３に記憶されているものとする。表示データのフレームバッファ１０３内の記憶位置についてはレジスタ設定部１０１への設定により決定される。
【００３３】
メモリ制御部１０２は、タイミング制御部１０４からの制御信号を受けてフレームバッファ１０３に対して制御信号を出力し、ＸＧＡサイズの表示データを読み出す（ステップＳ７０１）。読み出された表示データは、フォーマット変換／タイミング調整部１０６及び切り出し処理部３０２へ送られる。
【００３４】
次に、フォーマット変換／タイミング調整部１０６へ送られた表示データに対して、上記第１の実施の形態における図３のステップＳ３０２，Ｓ３０３と同様に処理が行われる（ステップＳ７０２〜Ｓ７０３）。
【００３５】
一方、切り出し処理部３０２へ送られたデータは、レジスタ設定部１０１による設定に応じて領域のマスク処理が行われる（ステップＳ７０４）。切り出された表示データは、フォーマット変換／タイミング調整部１０７へ送られる。
【００３６】
フォーマット変換／タイミング調整部１０７へ送られた表示データは、タイミング制御部１０４からの制御信号により内部表示器１０９が求めるフォーマット及びタイミングに変換され、内部表示器１０９へ送られる（ステップＳ７０５）。このとき、ドットクロック信号ＣＬＫ２、水平同期信号ＨＳＹＮＣ２、及び垂直同期信号ＶＳＹＮＣ２を同時に出力することにより内部表示器１０９へＶＧＡサイズの表示が行われる（ステップＳ７０６）。上記第１の実施の形態においてＨＳＹＮＣ１及びＶＳＹＮＣ１との関係は一定であったが、本第２の実施の形態では、切り出し領域に応じてＨＳＹＮＣ２、ＶＳＹＮＣ２の出力タイミングの関係が変化する。切り出し領域が変化しない場合のタイミングチャートを図４に、変化した場合のタイミングチャートを図５に示す。図中、内部表示器１０９に対する表示データの送出タイミングは、ＶＳＹＮＣ２のアサートタイミングとアクティブデータの送出開始タイミングの関係、並びにアクティブデータ送出領域、アクティブデータの送出完了タイミングとＶＳＹＮＣ２の関係について内部表示器１０９の求めるタイミングを満たした形式で送出される。図６においてＶＧＡ表示エリアが下方に変化しているため垂直同期信号の周期が＋α変化する。
【００３７】
次に、レジスタ設定部１０１において切り出し領域設定の変更が行われた場合の処理について図８及び図９を参照して説明する。
【００３８】
図８は、図４の切り出し領域変更部３０１の内部構成を示すブロック図である。図９は、切り出し領域変更部３０１により実行される処理を示すフローチャートである。
【００３９】
図８において、切り出し領域変更部３０１は、比較部６０１と、設定記憶部６０２と、書換制御部６０３とを備える。
【００４０】
図９では、レジスタ設定部１０１における切り出し領域の設定は、切り出し領域の左上の座標ＡＲＥＡ（Ｘ，Ｙ）を指定することで行う。
【００４１】
まず、電源投入後の初期設定時ＡＲＥＡ（Ｘ，Ｙ）は、設定記憶部６０２にCURRENT_AREA（Ｘ０，Ｙ０）として記憶される（ステップＳ９０１）。次に、新たな該設定情報ＡＲＥＡ（Ｘ，Ｙ）が送られてくると、比較器６０１に入力される（ステップＳ９０２）。比較器６０１では、入力されたＡＲＥＡ値（Ｘ，Ｙ）と設定記憶部６０２に記憶されている値CURRENT_AREA（Ｘ０，Ｙ０）とを比較し（ステップＳ９０３）、差分値（Ｘ−Ｘ０，Ｙ−Ｙ０）を書換制御部６０３へ送る（ステップＳ９０４）。
【００４２】
書換制御部６０３では、垂直同期信号のアサートタイミング毎（即ち１フレーム毎）に以下の処理を行う。該差分値と予め表示器の仕様から設定されている許容差分値（Ｘｍａｘ，Ｙｍａｘ）を比較し（ステップＳ９０５）、許容範囲内の場合、即ち｜Ｘ−Ｘ０｜≦Ｘｍａｘかつ｜Ｙ−Ｙ０｜≦Ｙｍａｘの場合は（ステップＳ９０６でＹＥＳ）、ＡＲＥＡ（Ｘ，Ｙ）を比較部６０１から読出しそのまま切り出し処理部３０２へ送る（ステップＳ９０７）。
【００４３】
一方、許容範囲外の場合、即ち｜Ｘ−Ｘ０｜＞Ｘｍａｘ若しくは｜Ｙ−Ｙ０｜＞Ｙｍａｘの場合は（ステップＳ９０６でＮＯ）、差分値を許容差分値内の値に分割した形で、何回かに分けて切り出し処理部６０１へ送る（ステップＳ９０８）。その後、CURRENT_AREA（Ｘ０，Ｙ０）を（Ｘ，Ｙ）に書き換える（ステップＳ９０９）。
【００４４】
例えば、図６に示したように、（Ｘ０，Ｙ０）＝（３５０，９０）、（Ｘ，Ｙ）＝（３２０，２８８）を想定し、（Ｘｍａｘ，Ｙｍａｘ）＝（５０，８０）だとする。このとき、Ｘ−Ｘ０＝３０となり、Ｘ−Ｘ０≦Ｘｍａｘであるが、Ｙ−Ｙ０＝１９８なので、Ｙ−Ｙ０＞Ｙｍａｘとなる。従って、Ｙ−Ｙ０＝１９８をＹｍａｘ＝８０以内の値（８０，８０，３８）に分割する。これより、切り出し処理部３０２へは（３２０，１７０）、（３２０，２５０）、（３２０，２８８）を切り出し領域設定情報としてフレーム毎に送ることになる。即ち、図６には１フレームでＶＧＡ表示エリアが移動するように示されているが、実際には３フレームかけて移動することになる。
【００４５】
以上の構成において、フレームバッファ１０３内にＸＧＡサイズの表示データを記憶しておくことで、該ＸＧＡサイズの１回の読出しで、ＸＧＡサイズの外部表示器１１０及びＶＧＡサイズの内部表示器１０９に対して同時に異なった表示をすることが可能となる。その結果、メモリアクセス回数の低減が可能であり、特に表示器の解像度が高い場合においてバス帯域幅の低減、及び低消費電力化に効果がある。
【００４６】
また、解像度の低い内部表示器１０９の表示領域が変更になった場合でも、水平同期信号若しくは垂直同期信号が内部表示器１０９の許容する範囲外となって表示がちらついたりすることなく、滑らかに変更が行えるという効果がある。
【００４７】
以上説明した第１及び第２の実施の形態を組み合わせて実施することも可能である。
【００４８】
また、データ変換処理も本実施の形態に限定されるものではなく、例えばアスペクト比変換処理なども考えられる。
【００４９】
上記第１及び第２の実施の形態では、ＰＤＡに代表されるような低解像度のＬＣＤを内蔵し、高解像度の外部表示装置を接続可能な機器を想定して説明をしたが、もちろんこれに限定されるものではない。
【００５０】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５１】
この場合、記憶媒体から読み出されたプログラムコード自体が上述した実施の形態の機能を実現することになり、そのプログラムコードを記憶した記憶媒体は本発明を構成することになる。
【００５２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ、磁気テープ、不揮発性のメモリカード等を用いることができる。または、プログラムコードをネットワークを介してダウンロードしてもよい。
【００５３】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００５４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【００５５】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部又は全部を行い、その処理によって前述した各実施の形態の機能が実現される場合も、本発明に含まれることは云うまでもない。
【００５６】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００５７】
【図１】本発明の第１の実施の形態に係る表示制御装置のハードウェア構成を示すブロック図である。
【図２】内部表示器１０９及び外部表示器１１０に画像表示する際のタイミングチャートを示す。図３は、画像表示処理を示すフローチャートである。
【図３】画像表示処理を示すフローチャートである。
【図４】本発明の第２の実施の形態に係る表示制御装置のハード構成を示すブロック図である。
【図５】切り出し領域が変化しない場合のタイミングチャートを示す。
【図６】切り出し領域が変化した場合のタイミングチャートを示す。
【図７】画像表示処理を示すフローチャートである。
【図８】図４の切り出し領域変更部３０１の内部構成を示すブロック図である。
【図９】切り出し領域変更部３０１により実行される処理を示すフローチャートである。
【符号の説明】
【００５８】
１０１  レジスタ設定部
１０２  メモリ制御部
１０３  フレームバッファ
１０４  タイミング制御部
１０５  解像度変換部
１０６，１０７  フォーマット変換／タイミング調整部
１０９  内部表示器
１１０  外部表示器
３０１  切り出し領域変更部
３０２  切り出し処理部
【図１】
2006337859.tif 000003
【図２】
2006337859.tif 000004
【図３】
2006337859.tif 000005
【図４】
2006337859.tif 000006
【図５】
2006337859.tif 000007
【図６】
2006337859.tif 000008
【図７】
2006337859.tif 000009
【図８】
2006337859.tif 000010
【図９】
2006337859.tif 000011